(57)【要約】【課題】シャッターによるキー孔の閉塞操作を簡便とし、操作性を向上させることができるシリンダ錠の保護装置を提供する。【解決手段】シリンダ錠のキー孔の上方に設けられるハウジング１と、キー孔を外側から開閉するシャッター２と、キー孔を閉塞すべくシャッター２を開放位置から閉塞位置まで移動させる閉塞手段と、閉塞位置にあるシャッター２をロックするロック手段６と、該ロック手段６によるロックを解除し、シャッター２を閉塞位置から開放位置まで移動させる開放手段とを具備し、シリンダ錠を保護し得るシリンダ錠の保護装置において、閉塞手段は、開放位置にあるシャッター２を閉塞位置に付勢するねじりバネ３と、ハウジング１から突出しつつねじりバネ３で付勢されたシャッター２を開放位置で係止するとともに、突出部５ａを押圧することにより係止を解除する押しボタン５とを備えたものである。【選択図】図３
2008111335.tif 000002
【特許請求の範囲】
【請求項１】
シリンダ錠のキー孔の上方に設けられるハウジングと、
該ハウジング内で閉塞位置と開放位置との間で移動可能とされ、前記キー孔を外側から開閉するシャッターと、
前記キー孔を閉塞すべく前記シャッターを開放位置から閉塞位置まで移動させる閉塞手段と、
閉塞位置にある前記シャッターをロックするロック手段と、
該ロック手段によるロックを解除し、前記シャッターを閉塞位置から開放位置まで移動させる開放手段と、
を具備し、シリンダ錠を保護し得るシリンダ錠の保護装置において、
前記閉塞手段は、
開放位置にある前記シャッターを閉塞位置に付勢する付勢手段と、
前記ハウジングから突出しつつ前記付勢手段で付勢された前記シャッターを開放位置で係止するとともに、ハウジングからの突出部を操作することにより係止を解除する操作手段と、
を備えたことを特徴とするシリンダ錠の保護装置。
【請求項２】
前記操作手段は、前記ハウジングからの突出部を押圧することにより係止を解除する押しボタンから成ることを特徴とする請求項１記載のシリンダ錠の保護装置。
【請求項３】
前記シャッターが閉塞位置にあるとき、前記操作手段の一部が前記シャッターと当接して当該操作手段の操作後の状態が維持されることを特徴とする請求項１又は請求項２記載のシリンダ錠の保護装置。
【請求項４】
前記シャッターと前記ロック手段とが互いに独立に動作することを特徴とする請求項１又は請求項２記載のシリンダ錠の保護装置。
【請求項５】
閉塞位置にある前記シャッターを係止するとともに、前記ロック手段によるロック解除動作に伴い係止を解除するスライダを設けたことを特徴とする請求項４記載のシリンダ錠の保護装置。
【発明の詳細な説明】
【技術分野】
【０００１】
本発明は、自動二輪車等に装備されるシリンダ錠の破壊等を防止し得るシリンダ錠の保護装置に関する。
【背景技術】
【０００２】
従来、第三者によるはさみやドライバ等のキー孔への差し込みで自動二輪車等のシリンダ錠がいたずらされて破壊されるのを防止するために、例えば特許文献１で開示されたシリンダ錠の保護装置が提案されている。かかる保護装置は、キー孔を閉状態とする閉塞位置から当該キー孔を開状態とする開放位置まで摺動可能なシャッターと、該シャッターを開放位置と閉塞位置との間で摺動自在に保持するハウジングと、シャッターを閉塞位置に保持することによりキー孔を閉塞して施錠するマグネット錠と、磁石の磁気によってマグネット錠を解錠するマグネットキーを具備していた。
【０００３】
上記保護装置によれば、ハウジングから突出したシャッターの一部を当該ハウジング内に押し込むことによりキー孔を外側から閉塞しつつ、その位置でマグネット錠にて施錠することができる。即ち、シャッターには、押し込み操作すべくハウジングから所定寸法突出した操作部と、キー孔を閉塞するための閉塞部とが形成されており、当該ハウジングから突出した寸法だけ操作部を移動させると閉塞部が開放位置から閉塞位置まで移動するよう構成されていたのである。
【特許文献１】特開平１１−４４１３２号公報
【発明の開示】
【発明が解決しようとする課題】
【０００４】
しかしながら、上記従来のシリンダ錠の保護装置においては、キー孔を閉塞するにはシャッターの操作部を押し続けて、当該シャッターを所定寸法摺動させる必要があったので、操作が面倒であるという問題があった。即ち、シャッターが開放位置から閉塞位置まで移動するには、ある程度の寸法量操作部を押圧操作し続ける必要があり、ユーザや操作時の状況によっては面倒である場合があるのである。
【０００５】
本発明は、このような事情に鑑みてなされたもので、シャッターによるキー孔の閉塞操作を簡便とし、操作性を向上させることができるシリンダ錠の保護装置を提供することにある。
【課題を解決するための手段】
【０００６】
請求項１記載の発明は、シリンダ錠のキー孔の上方に設けられるハウジングと、該ハウジング内で閉塞位置と開放位置との間で移動可能とされ、前記キー孔を外側から開閉するシャッターと、前記キー孔を閉塞すべく前記シャッターを開放位置から閉塞位置まで移動させる閉塞手段と、閉塞位置にある前記シャッターをロックするロック手段と、該ロック手段によるロックを解除し、前記シャッターを閉塞位置から開放位置まで移動させる開放手段とを具備し、シリンダ錠を保護し得るシリンダ錠の保護装置において、前記閉塞手段は、開放位置にある前記シャッターを閉塞位置に付勢する付勢手段と、前記ハウジングから突出しつつ前記付勢手段で付勢された前記シャッターを開放位置で係止するとともに、ハウジングからの突出部を操作することにより係止を解除する操作手段とを備えたことを特徴とする。
【０００７】
かかる構成によれば、操作手段の突出部を操作すると、当該操作手段で開放位置にあるシャッターの係止が解除されるとともに、付勢手段による付勢でシャッターが閉塞位置まで移動する。かかる閉塞位置にてシャッターはロック手段でロックされ、キー孔へのいたずらの防止が図られるのである。
【０００８】
請求項２記載の発明は、前記操作手段が、前記ハウジングからの突出部を押圧することにより係止を解除する押しボタンから成ることを特徴とする。
【０００９】
請求項３記載の発明は、前記シャッターが閉塞位置にあるとき、前記操作手段の一部が前記シャッターと当接して当該操作手段の操作後の状態が維持されることを特徴とする。
【００１０】
請求項４記載の発明は、前記シャッターと前記ロック手段とが互いに独立に動作することを特徴とする。
【００１１】
請求項５記載の発明は、閉塞位置にある前記シャッターを係止するとともに、前記ロック手段によるロック解除動作に伴い係止を解除するスライダを設けたことを特徴とする。
【発明の効果】
【００１２】
請求項１の発明によれば、操作手段の突出部を操作すれば付勢手段の付勢でシャッターが閉塞位置まで移動するので、シャッターによるキー孔の閉塞操作を簡便とし、シリンダ錠の保護装置における操作性を向上させることができる。即ち、操作手段の突出部に対する操作は、シャッターの係止を解除するストローク量だけあれば足り、従来の操作部を押し続けるものに比べて、操作が簡便となるのである。
【００１３】
請求項２の発明によれば、操作手段が押しボタンから成り、該押しボタンを押圧操作すれば付勢手段の付勢でシャッターが閉塞位置まで移動するので、操作性を更に向上させることができる。即ち、突出部を把持することもなく、単に押圧による操作が可能となるのである。
【００１４】
請求項３の発明によれば、シャッターが閉塞位置にあるとき、操作手段の一部がシャッターと当接して当該操作手段の操作後の状態が維持されるので、シャッターが開放位置にあるときのみ操作を可能とし、操作性を更に向上させることができる。
【００１５】
請求項４の発明によれば、シャッターとロック手段とが互いに独立に動作するので、ロック手段の作動負荷に拘わらず閉塞手段における付勢手段の付勢力を設定することができる。即ち、例えばロック手段にＯリング等のシール部材を介在させた場合、ロック手段の作動負荷が大きくなるので、これに抗するべく付勢手段の付勢力を大きくせざるを得なくなって、シャッターの開動作における作動負荷が大きくなってしまう。このような作動負荷の増大を回避しつつ、シャッター及びロック手段の作動負荷をそれぞれ適宜に設定することができる。
【００１６】
請求項５の発明によれば、係止機構により、閉塞位置にあるシャッターを係止して当該シャッターの移動を規制する一方、ロック手段によるロック解除動作に伴って係止が解除されて閉塞位置にあるシャッターが開放位置まで移動するのを許容するので、シャッターとロック手段とを独立に作動させたものにおいても、確実にシャッターをロックさせることができる。
【発明を実施するための最良の形態】
【００１７】
以下、本発明の実施形態について図面を参照しながら具体的に説明する。
本実施形態に係るシリンダ錠の保護装置は、二輪車が具備するシリンダ錠のキー孔上方に設けられ、該キー孔を外側から開閉可能とすることによりシリンダ錠を保護し得るもので、図１〜図３に示すように、ケース１ａ及びカバー１ｂで構成されるハウジング１と、シャッター２と、ねじりバネ３、コイルバネ４及び押しボタン５（操作手段）から成る閉塞手段と、マグネット錠を構成するロック手段６と、開放手段としてのマグネットキーＭＫと、スライダ７とから主に構成されている。尚、マグネットキーＭＫは、図２に示すように、イグニッションキーＩＫのつまみ部（把持部）に形成されている。
【００１８】
ケース１ａは、亜鉛ダイカスト成形品（アルミダイカスト等他の材質でもよい）から成るものであり、車両のシリンダ錠を挿通し、そのキー孔を上方に臨ませ得る挿通孔１ａａが略中央に形成されるとともに、その両側に押しボタン５を収容する収容凹部１ａｂと、マグネット錠用凸部１ａｄとが形成されている。また、収容凹部１ａｂ内にはコイルバネ４を収容する収容穴１ａｅが形成される一方、マグネット錠用凸部１ａｄの周囲には、ねじりバネ３を収容する収容穴１ａｃが形成されている。
【００１９】
マグネット錠用凸部１ａｄは、その先端面においてスプリングＳを介してマグネットＭを収容する収容穴１ａｆが複数（本実施形態においては４つ）形成されるとともに、外周面でシャッター２の円環状部２ａを回動自在に嵌合し得るよう構成されている。また、マグネット錠用凸部１ａｄの近傍には、スプリング８を介してスライダ７を収容するための収容穴１ａｇが形成されている。
【００２０】
カバー１ｂは、アルミダイカスト成形品（他の材質でもよい）から成り、ケース１ａの上面側を覆って該ケース１ａとの間に形成される内部空間にシャッター２等シリンダ錠の保護装置の構成部品を収容するためのもので、挿通孔１ａａと対応した位置に形成されてイグニッションキーＩＫをキー孔に挿通させ得る孔１ｂａと、押しボタン５の突出部５ａを挿通させ得る孔１ｂｂと、ロック手段６の嵌合部６ａを挿通させ得る孔１ｂｃとが形成されている。
【００２１】
シャッター２は、非磁性体材料から成るものであり、図４に示すように、円環状部２ａと閉塞部２ｂとが一体的に形成されたものである。即ち、円環状部２ａがマグネット錠用凸部１ａｄに嵌合しつつ、これを中心として回動すると、閉塞部２ｂがカバー１ｂの孔１ｂａを塞ぐ位置（閉塞位置）と、当該孔１ｂａから離間して開放する位置（開放位置）との間で移動し、キー孔を外側から開閉し得るよう構成されている。
【００２２】
また、ねじりバネ３が収容穴１ａｃに収容された状態において、その一端がケース１ａに係止されつつ他端がシャッター２の円環状部２ａに係止されているので、シャッター２は、ねじりバネ３により閉塞位置に回動する方向に常時付勢されている。尚、シャッター２の形状は、ハウジング１全体の形状及び大きさや、他の構成要素のレイアウト等により任意に変更することができる。
【００２３】
押しボタン５は、図５及び図７に示すように、ハウジング１に組み付けられた状態でカバー１ｂから寸法ｔだけ突出した突出部５ａと、ねじりバネ３で付勢されたシャッター２を開放位置で係止する係止部５ｂとを有した樹脂製一体成形品から成り、操作者が突出部５ａを図５及び図７中の矢印方向に押圧することにより、係止部５ｂによるシャッター２の係止を解除し得るものである。
【００２４】
即ち、シャッター２が開放位置にあるとき、押しボタン５はコイルバネ４の付勢力により係止部５ｂがカバー１ｂの裏面へ当接した状態とされており、この状態ではシャッター２先端に係止して、その付勢方向への回動が規制されている（図５及び図７参照）。一方、コイルバネ４の付勢力に抗して押しボタン５を押圧すると、それに伴い係止部５ｂも下方に移動することとなるので、シャッター２の先端に対する係止が解除され、ねじりバネ３による付勢力でシャッター２が閉塞位置まで回動するのである（図６及び図８参照）。
【００２５】
従って、押しボタン５の突出部５ａに対する押圧操作は、シャッター２の係止を解除するストローク量（多くても寸法ｔ）だけあれば足り、従来の操作部を押し続けるものに比べて、操作を簡便とすることができる。また、押しボタン５を動作させる際、コイルバネ４に抗する押し込み力で足りるため、指先の僅かな力で押圧操作することができ、操作性を向上させることができる。
【００２６】
更に、図６及び図８に示すように、シャッター２が閉塞位置にあるとき、押しボタン５の一部（係止部５ｂの表面側）がシャッター２の先端部分と当接して当該押しボタン５の押圧状態が維持されているので、シャッター２が開放位置にあるときのみ突出部５ａが突出して押圧操作を可能とし、操作性を更に向上させることができる。
【００２７】
ロック手段６は、図９に示すように、表面側にはマグネットキーＭＫを嵌合させ得る嵌合部６ａが形成されるとともに、裏面側にはマグネット錠用凸部１ａｄ先端に配設されたマグネットＭを嵌合係止し得る複数の嵌合穴６ｂが形成されている。また、ロック手段６の裏面側先端には、スライダ７の作動部７ｂと当接し得るカム部６ｃが形成されるとともに、基端には、シャッター２の円環状部２ａから突設された凸部２ａｂと当接し得る作動凸部６ｄが形成されている。尚、同図中符号６ｅは、板バネ１２（図３参照）を嵌め込む凹部を示している。かかる板バネ１２は、カバー１ｂの裏面に形成された凹形状（不図示）と係合し得る凸部１２ａを有しており、マグネットキーＭＫの着脱位置とシャッター２が開状態になって押しボタン５が戻る位置との間で節度を持たせている。
【００２８】
かかるロック手段６をマグネット錠用凸部１ａｄ上に組み付けると、図１０に示すように、嵌合穴６ｂがスプリングＳで上方に付勢されたマグネットＭを嵌合係止し得るよう構成されている。即ち、シャッター２が閉塞位置にあるとき、マグネット錠用凸部１ａｄの先端に形成された収容穴１ａｆと嵌合穴６ｂとが合致するよう設定されており、当該閉塞位置においてマグネットＭが嵌合穴６ｂに入り込むことによりロック手段６を係止し、ロックし得るよう構成されているのである。尚、同図における符号９はシール部材としてのＯリングを示している。
【００２９】
また、マグネットキーＭＫの先端には、図１１に示すように、マグネットＭに対応する位置にマグネットＪが複数配設されており、このマグネットＪは、マグネットキーＭＫがカバー１ｂの孔１ｂｃから挿通された状態で、マグネットＭの上面側の極と異なる極が対向するように配設されている。
【００３０】
これにより、ロック手段６（シャッター２）がロックされた状態においてマグネットキーＭＫを孔１ｂｃに差し込むと、マグネットＭとＪとの反発力により、マグネットＭがスプリングＳの付勢力に抗して下降し、ロックが解除されるのである。この状態のままマグネットキーＭＫを回転させれば、嵌合部６ａの嵌合でロック手段６が連れ回されて回動するよう構成されている。
【００３１】
ここで、上記ロック手段６のロックは、ロック手段６の回動を規制するものの直接的にはシャッター２の回動を規制するものではない。しかし、ロック手段６がロック位置にあるとき、スライダ７の係止部７ａがシャッター２の凸部２ａａを係止して当該シャッター２の回動を規制するので、間接的にシャッター２も閉塞状態にてロックされることとなっている。
【００３２】
スライダ７は、図３に示すように、シャッター２に近い側の突端が角形状に形成され、遠い側の突端が円弧状に形成されており、角形状部がシャッター２の凸部２ａａと係止する係止部７ａとされ、円弧状部がロック手段６のカム部６ｃと当接する作動部７ｂとされたものである。このスライダ７は、スプリング８を介してケース１ａの収容穴１ａｇ内に収容され、常時上方へ付勢された状態とされている。
【００３３】
そして、図１２に示すように、シャッター２が閉塞状態にあるときは、係止部７ａがシャッター２の凸部２ａａと当接して、当該シャッター２の開放位置側への回動を規制する。これにより、シャッター２は閉塞位置にてロックされ、第三者によるシャッター２の回動を防止することができ、防犯効果を更に向上させることができる。
【００３４】
マグネットキーＭＫによりロック手段６を回動させると、図１３で示すように、ロック手段６のカム部６ｃがスライダ７の位置まで回動し当接する。このとき、図１４に示すように、カム部６ｃがスライダ７の作動部７ｂと当接するため、スライダ７はスプリング８の付勢力に抗して下降し、収容穴１ａｇ内に没することとなる。
【００３５】
従って、シャッター２は開放位置方向へ回動が許容されることとなり、ロック手段６が更に回動すると、該ロック手段６の作動凸部６ｄが凸部２ａｂと当接し、連れ回しすることとなる。即ち、スライダ７による係止が解除されたシャッター２は、ロック手段６とともに回動し、図１５で示す開放位置に至ることとなる。尚、このとき、スライダ７は、その係止部７ａがシャッター２の下面で押された状態となっているので、その後のシャッター２の閉塞位置への回動は規制されない。このとき、押しボタン５が押圧操作前の位置に戻り、シャッター２を係止する。
【００３６】
最後に、ロック手段６を逆向きに回動させて、図１６で示した状態とし、マグネットキーＭＫを抜き取る。これにより、ロック手段６は初期位置とされて、その後のシャッター２の閉塞位置への回動をスムーズにすることができる。かかる開放位置におけるシャッター２は、既述の如く、ねじりバネ３による付勢力が付与されつつ押しボタン５の係止部５ｂにより係止した状態とされているので、押しボタン５の突出部５ａを押圧すれば、ねじりバネ３の付勢力により再びシャッター２は閉塞位置（即ち、図１２で示した状態）まで回動し、スライダ７によりロックされる。
【００３７】
このように、ロック手段６とシャッター２とを別部材で構成し、各々が互いに独立に動作するので、以下の如き効果がある。即ち、本実施形態のようにロック手段６にＯリング９を介在させた場合、ロック手段６の作動負荷が大きくなるので、これに抗するべくねじりバネ３の付勢力を大きくせざるを得なくなって、シャッター２の開動作における作動負荷が大きくなってしまうことが予想されるが、このような作動負荷の増大を回避しつつ、シャッター２及びロック手段６の作動負荷をそれぞれ適宜に設定することができるのである。
【００３８】
次に、本発明に係る他の実施形態について説明する。
本実施形態に係るシリンダ錠の保護装置は、操作手段としてスライドノブ１０を具備したものであり、他の構成要素は略先の実施形態と同様である。かかるスライドノブ１０は、図１７及び図１８に示すように、カバー１ｂの上面左側に形成された長孔１ｂｂ’から突出した突出部１０ａと、ねじりバネ３（先の実施形態参照）で付勢されたシャッター２を開放位置で係止する係止部１０ｂとを有した樹脂製一体成形品（いずれの材質であってもよい）から成り、同図中左右方向にスライド自在とされたものである。
【００３９】
また、スライドノブ１０は、コイルスプリングＳ１によって常時右方向（シャッター２を係止する方向）へ付勢されており、非操作時においては、係止部１０ｂの上部がシャッター２を係止して開放位置としている（図１９参照）一方、当該コイルスプリングＳ１の付勢力に抗して突出部１０ａを左側にスライド操作すると、係止が解かれ、シャッター２がねじりバネ３の付勢力により閉塞位置まで回動する（図２０参照）。
【００４０】
従って、スライドノブ１０の突出部１０ａに対するスライド操作は、シャッター２の係止を解除するストローク量だけあれば足り、従来の操作部を押し続けるものに比べて、操作性を簡便とすることができる。また、スライドノブ１０を動作させる際、コイルスプリングＳ１に抗するスライド力で足りるため、指先の僅かな力でスライド操作することができ、操作性を向上させることができる。
【００４１】
更に、シャッター２が閉塞位置にあるときは、図２０に示すように、係止部１０ｂの下部がシャッター２の先端部分と当接してスライドノブ１０の操作後の状態（突出部１０ａが長孔１ｂｂ’の左端部にある状態）が維持されているので、シャッター２が開放位置にあるときのみ突出部１０ａをスライド操作可能とし、操作性を更に向上させることができる。
【００４２】
最後に、本発明に係る更なる他の実施形態について説明する。
本実施形態に係るシリンダ錠の保護装置は、操作手段として回動ノブ１１を具備したものであり、他の構成要素は略先の実施形態と同様である。かかる回動ノブ１１は、図２１及び図２２に示すように、カバー１ｂの上面左側に形成された孔１ｂｂ’’から突出した突出部１１ａと、ねじりバネ３（先の実施形態参照）で付勢されたシャッター２を開放位置で係止する係止部１１ｂとを有した樹脂製一体成形品（いずれの材質であってもよい）から成るものである。
【００４３】
また、回動ノブ１１は、ねじりバネＳ２によって常時右回転（時計周り）する方向へ付勢されており、非操作時においては、係止部１１ｂの先端部がシャッター２を係止して開放位置としている（図２３参照）一方、当該ねじりバネＳ２の付勢力に抗して突出部１１ａを左に回動操作（反時計周り）すると、係止が解かれ、シャッター２がねじりバネ３の付勢力により閉塞位置まで回動する（図２４参照）。
【００４４】
従って、回動ノブ１１の突出部１１ａに対する回動操作は、シャッター２の係止を解除するストローク量だけあれば足り、従来の操作部を押し続けるものに比べて、操作性を簡便とすることができる。また、回動ノブ１１を動作させる際、ねじりバネＳ２に抗する回動力で足りるため、指先の僅かな力で回動操作することができ、操作性を向上させることができる。
【００４５】
以上、本実施形態に係るシリンダ錠の保護装置について説明したが、本発明はこれに限定されるものではなく、例えばロック手段とシャッターとを一体とし（例えばシャッター上面にマグネットキーＭＫを嵌合する嵌合部を形成し、下面にマグネットＭを嵌合し得る穴を形成する等）、スライダ７を不要としてもよく、この場合、上述した作動負荷の観点から問題があるものの、部品点数を削減でき、シリンダ錠の保護装置における構成を簡素化することができる。
【００４６】
また、本実施形態においては、マグネットＭをロック手段６に係止させるマグネット錠をロック手段としているが、これに代えて他の形態のロック手段としてもよい。更に、押しボタン５は、上記機能が果たせれば、ハウジング内のいずれの位置に設けるようにしてもよく、シャッター２を付勢するねじりバネ３に代えて他の付勢手段としてもよい。
【産業上の利用可能性】
【００４７】
閉塞手段は、開放位置にあるシャッターを閉塞位置に付勢する付勢手段と、ハウジングから突出しつつ付勢手段で付勢されたシャッターを開放位置で係止するとともに、ハウジングからの突出部を操作することにより係止を解除する操作手段とを備えたシリンダ錠の保護装置であれば、外観形状が異なるもの或いは他の機能が付加されたもの等にも適用することができる。
【図面の簡単な説明】
【００４８】
【図１】本発明の実施形態に係るシリンダ錠の保護装置を示す上面図
【図２】本発明の実施形態に係るシリンダ錠の保護装置を示す縦断面図
【図３】本発明の実施形態に係るシリンダ錠の保護装置を示す分解斜視図
【図４】本発明の実施形態に係るシリンダ錠の保護装置におけるシャッターを示す上面図、側面図及び底面図
【図５】本発明の実施形態に係るシリンダ錠の保護装置における押しボタンがシャッターを係止した状態を示す斜視図
【図６】本発明の実施形態に係るシリンダ錠の保護装置におけるシャッターが押しボタンと当接した状態を示す斜視図
【図７】本発明の実施形態に係るシリンダ錠の保護装置における押しボタンがシャッターを係止しつつ突出した状態を示す断面模式図
【図８】本発明の実施形態に係るシリンダ錠の保護装置押しボタンがシャッターと当接しつつ、押圧状態が維持された状態を示す断面模式図
【図９】本発明の実施形態に係るシリンダ錠の保護装置におけるロック手段を示す上面図、側面図及び底面図
【図１０】本発明の実施形態に係るシリンダ錠の保護装置におけるロック手段及びマグネットキーＭＫを示す断面模式図
【図１１】本発明の実施形態に係るシリンダ錠の保護装置におけるイグニッションキーＩＫ及びマグネットキーＭＫを示す上面図及び正面図
【図１２】本発明の実施形態に係るシリンダ錠の保護装置におけるシャッターとロック手段との位置関係を示す模式図（シャッターが閉塞位置にある状態）
【図１３】本発明の実施形態に係るシリンダ錠の保護装置におけるシャッターとロック手段との位置関係を示す模式図（ロック手段を所定角度回動された状態）
【図１４】本発明の実施形態に係るシリンダ錠の保護装置におけるロック手段のカム部によりスライダが収容穴に没した状態を示す模式図
【図１５】本発明の実施形態に係るシリンダ錠の保護装置におけるシャッターとロック手段との位置関係を示す模式図（シャッターが開放位置にある状態）
【図１６】本発明の実施形態に係るシリンダ錠の保護装置におけるシャッターとロック手段との位置関係を示す模式図（シャッターが開放位置にあり、且つ、ロック手段が初期位置に戻された状態）
【図１７】本発明の他の実施形態（操作手段がスライドノブ）に係るシリンダ錠の保護装置を示す上面図
【図１８】図１７におけるＸＶＩＩＩ−ＸＶＩＩＩ線断面図
【図１９】同スライドノブの動作（シャッターが開放位置にある状態）を示すための模式図
【図２０】同スライドノブの動作（シャッターが閉塞位置にある状態）を示すための模式図
【図２１】本発明の他の実施形態（操作手段が回動ノブ）に係るシリンダ錠の保護装置を示す上面図
【図２２】図２１におけるＸＸＩＩ−ＸＸＩＩ線断面図
【図２３】同回動ノブの動作（シャッターが開放位置にある状態）を示すための模式図
【図２４】同回動ノブの動作（シャッターが閉塞位置にある状態）を示すための模式図
【符号の説明】
【００４９】
１…ハウジング
１ａ…ケース
１ｂ…カバー
２…シャッター
２ａ…円環状部
２ｂ…閉塞部
３…ねじりバネ（付勢手段）（閉塞手段）
４…コイルバネ
５…押しボタン（操作手段）（閉塞手段）
５ａ…突出部
６…ロック手段
７…スライダ
７ａ…係止部
７ｂ…作動部
８…スプリング
９…Ｏリング
１０…スライドノブ（操作手段）（閉塞手段）
１０ａ…突出部
１０ｂ…係止部
１１…回動ノブ（操作手段）（閉塞手段）
１１ａ…突出部
１１ｂ…係止部
Ｍ…マグネット
Ｓ…スプリング
Ｓ１…ねじりバネ
Ｓ２…コイルスプリング
ＭＫ…マグネットキー（開放手段）
ＩＫ…イグニッションキー
【図１】
2008111335.tif 000003
【図２】
2008111335.tif 000004
【図３】
2008111335.tif 000005
【図４】
2008111335.tif 000006
【図５】
2008111335.tif 000007
【図６】
2008111335.tif 000008
【図７】
2008111335.tif 000009
【図８】
2008111335.tif 000010
【図９】
2008111335.tif 000011
【図１０】
2008111335.tif 000012
【図１１】
2008111335.tif 000013
【図１２】
2008111335.tif 000014
【図１３】
2008111335.tif 000015
【図１４】
2008111335.tif 000016
【図１５】
2008111335.tif 000017
【図１６】
2008111335.tif 000018
【図１７】
2008111335.tif 000019
【図１８】
2008111335.tif 000020
【図１９】
2008111335.tif 000021
【図２０】
2008111335.tif 000022
【図２１】
2008111335.tif 000023
【図２２】
2008111335.tif 000024
【図２３】
2008111335.tif 000025
【図２４】
2008111335.tif 000026
【手続補正書】
【提出日】平成20年2月26日(2008.2.26)
【手続補正１】
【補正対象書類名】特許請求の範囲
【補正対象項目名】全文
【補正方法】変更
【補正の内容】
【特許請求の範囲】
【請求項１】
シリンダ錠のキー孔の上方に設けられるハウジングと、
該ハウジング内で閉塞位置と開放位置との間で移動可能とされ、前記キー孔を外側から開閉するシャッターと、
前記キー孔を閉塞すべく前記シャッターを開放位置から閉塞位置まで移動させる閉塞手段と、
閉塞位置にある前記シャッターをロックするロック手段と、
該ロック手段によるロックを解除し、前記シャッターを閉塞位置から開放位置まで移動させる開放手段と、
を具備し、シリンダ錠を保護し得るシリンダ錠の保護装置において、
前記閉塞手段は、
開放位置にある前記シャッターを閉塞位置に付勢する付勢手段と、
前記ハウジングから突出しつつ前記付勢手段で付勢された前記シャッターを開放位置で係止するとともに、ハウジングからの突出部を操作することにより係止を解除する操作手段と、
を備え、且つ、
前記シャッターと前記ロック手段とが別部材で構成され互いに独立に動作し得ることを特徴とするシリンダ錠の保護装置。
【請求項２】
閉塞位置にある前記シャッターを係止するとともに、前記ロック手段によるロック解除動作に伴い係止を解除するスライダを設けたことを特徴とする請求項１記載のシリンダ錠の保護装置。
【手続補正２】
【補正対象書類名】明細書
【補正対象項目名】０００６
【補正方法】変更
【補正の内容】
【０００６】
請求項１記載の発明は、シリンダ錠のキー孔の上方に設けられるハウジングと、該ハウジング内で閉塞位置と開放位置との間で移動可能とされ、前記キー孔を外側から開閉するシャッターと、前記キー孔を閉塞すべく前記シャッターを開放位置から閉塞位置まで移動させる閉塞手段と、閉塞位置にある前記シャッターをロックするロック手段と、該ロック手段によるロックを解除し、前記シャッターを閉塞位置から開放位置まで移動させる開放手段とを具備し、シリンダ錠を保護し得るシリンダ錠の保護装置において、前記閉塞手段は、開放位置にある前記シャッターを閉塞位置に付勢する付勢手段と、前記ハウジングから突出しつつ前記付勢手段で付勢された前記シャッターを開放位置で係止するとともに、ハウジングからの突出部を操作することにより係止を解除する操作手段とを備え、且つ、前記シャッターと前記ロック手段とが別部材で構成され互いに独立に動作し得ることを特徴とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
請求項２記載の発明は、閉塞位置にある前記シャッターを係止するとともに、前記ロック手段によるロック解除動作に伴い係止を解除するスライダを設けたことを特徴とする。
【手続補正７】
【補正対象書類名】明細書
【補正対象項目名】００１２
【補正方法】変更
【補正の内容】
【００１２】
請求項１の発明によれば、操作手段の突出部を操作すれば付勢手段の付勢でシャッターが閉塞位置まで移動するので、シャッターによるキー孔の閉塞操作を簡便とし、シリンダ錠の保護装置における操作性を向上させることができる。即ち、操作手段の突出部に対する操作は、シャッターの係止を解除するストローク量だけあれば足り、従来の操作部を押し続けるものに比べて、操作が簡便となるのである。
更に、シャッターとロック手段とが別部材で構成され互いに独立に動作し得るので、ロック手段の作動負荷に拘わらず閉塞手段における付勢手段の付勢力を設定することができる。即ち、例えばロック手段にＯリング等のシール部材を介在させた場合、ロック手段の作動負荷が大きくなるので、これに抗するべく付勢手段の付勢力を大きくせざるを得なくなって、シャッターの開動作における作動負荷が大きくなってしまう。このような作動負荷の増大を回避しつつ、シャッター及びロック手段の作動負荷をそれぞれ適宜に設定することができる。
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】変更
【補正の内容】
【００１６】
請求項２の発明によれば、閉塞位置にあるシャッターを係止して当該シャッターの移動を規制する一方、ロック手段によるロック解除動作に伴って係止が解除されて閉塞位置にあるシャッターが開放位置まで移動するのを許容するので、シャッターとロック手段とを別部材で構成して独立に作動させ得るものにおいても、確実にシャッターをロックさせることができる。
【手続補正１２】
【補正対象書類名】明細書
【補正対象項目名】００４５
【補正方法】変更
【補正の内容】
【００４５】
以上、本実施形態に係るシリンダ錠の保護装置について説明したが、本発明はこれに限定されるものではない。
【手続補正１３】
【補正対象書類名】明細書
【補正対象項目名】００４７
【補正方法】変更
【補正の内容】
【００４７】
閉塞手段は、開放位置にあるシャッターを閉塞位置に付勢する付勢手段と、ハウジングから突出しつつ前記付勢手段で付勢された前記シャッターを開放位置で係止するとともに、ハウジングからの突出部を操作することにより係止を解除する操作手段とを備え、且つ、シャッターとロック手段とが別部材で構成され互いに独立に動作し得るシリンダ錠の保護装置であれば、外観形状が異なるもの或いは他の機能が付加されたもの等にも適用することができる。